(57)【要約】【課題】使用者が楽な姿勢で、かつ、正確に情報を取得することが可能な照明器具を提供する。【解決手段】この照明器具１００は、居室１１０の天井１１１に取り付けられる器具本体１と、この器具本体１の下面で保持される蛍光灯２とを備えている。器具本体１には、居室１００の側壁面１１２に所定情報を投影可能なＬＥＤブロック４が蛍光灯２よりも上方に位置するように設けられている。また、器具本体１には、側壁面１１２に投影された所定情報に対して蛍光灯２からの直接光が非照射となるように、直接光を遮光する立下り部１２ｂが設けられている。【選択図】図２
2009199982.tif 000002
【特許請求の範囲】
【請求項１】
居室等の天井に取り付けられる器具本体と、この器具本体の下面で保持される光源とを備えた照明器具において、
前記器具本体に、居室等の側壁面に所定情報を投影可能な情報投影手段を前記光源よりも上方に位置するように設けるとともに、側壁面に投影された前記所定情報に対して光源からの直接光が非照射となるように、前記直接光を遮光する遮光手段を設けたことを特徴とする照明器具。
【請求項２】
光源を下方から覆うように器具本体に取り付けられるカバー部材をさらに備え、
前記器具本体は、前記カバー部材の上端縁を引っ掛ける周縁部を有するシャーシを含み、
前記シャーシの下面には、前記光源が取り付けられるとともに、前記シャーシの上面には、前記情報投影手段が取り付けられ、
前記遮光手段は、前記シャーシの周縁部から下方に延びる立下り部であることを特徴とする請求項１に記載の照明器具。
【請求項３】
前記情報投影手段は、所定情報を略真横に投影する姿勢で前記シャーシに設けられ、
前記立下り部の下端は、前記光源よりも下方に位置していることを特徴とする請求項２に記載の照明器具。
【発明の詳細な説明】
【技術分野】
【０００１】
本発明は、居室等の天井に取り付けられる照明器具に関する。
【背景技術】
【０００２】
従来、居室等の天井に取り付けられる照明器具として、居室を照らす照明手段としてだけでなく、居室内の人（使用者）に所定情報を提供する情報提供手段としての機能をも備えたものが知られている。例えば、特許文献１には時計が組み込まれた照明器具が開示されている。また、特許文献２にはグローブに映像情報が映し出されるように構成された照明器具が開示されている。
【特許文献１】実開平６−５８５１９号公報
【特許文献２】特開２００６−８６０２４号公報
【発明の開示】
【発明が解決しようとする課題】
【０００３】
しかしながら、従来の技術では、照明器具に情報を表示する構成のため、情報を取得するためには使用者が顔を上げて照明器具をほぼ真上に見上げなくてはならない。このため、従来から、楽な姿勢で情報を得たいという要望がある。
【０００４】
本発明は、上記のような要望に応えるためになされたものであり、使用者が楽な姿勢で、かつ、正確に情報を取得することが可能な照明器具を提供することを目的とする。
【課題を解決するための手段】
【０００５】
請求項１の発明は、居室等の天井に取り付けられる器具本体と、この器具本体の下面で保持される光源とを備えた照明器具において、前記器具本体に、居室等の側壁面に所定情報を投影可能な情報投影手段を前記光源よりも上方に位置するように設けるとともに、側壁面に投影された前記所定情報に対して光源からの直接光が非照射となるように、前記直接光を遮光する遮光手段を設けたことを特徴とするものである。
【０００６】
請求項２の発明は、請求項１に記載の照明器具において、光源を下方から覆うように器具本体に取り付けられるカバー部材をさらに備え、前記器具本体は、前記カバー部材の上端縁を引っ掛ける周縁部を有するシャーシを含み、前記シャーシの下面には、前記光源が取り付けられるとともに、前記シャーシの上面には、前記情報投影手段が取り付けられ、前記遮光手段は、前記シャーシの周縁部から下方に延びる立下り部であることを特徴とするものである。
【０００７】
請求項３の発明は、請求項２に記載の照明器具において、前記情報投影手段は、所定情報を略真横に投影する姿勢で前記シャーシに設けられ、前記立下り部の下端は、前記光源よりも下方に位置していることを特徴とするものである。
【発明の効果】
【０００８】
請求項１の発明によれば、側壁面に投影された情報に、光源からの直接光が照射されるのを遮光手段によって防ぐことができるので、光源を点灯したままでも、居室内の人（使用者）が側壁面の情報をはっきりと視認することができる。これにより、使用者が情報を正確に取得することができる。また、情報が側壁面に表示されるので、例えば天井に表示される場合に比べて、使用者が斜め上を見上げる楽な姿勢で情報を取得することができる。また、器具本体に遮光手段を設けたので、光源からの直接光を当該光源に近い位置で遮光することができる。これにより、小さい遮光手段でも正確に遮光することができる。
【０００９】
請求項２の発明によれば、光源やカバー部材を保持するシャーシを利用して光源からの直接光を遮光することができるようになるので、別途遮光部材を設ける場合に比べて、部品点数の増加を抑えることができる。
【００１０】
請求項３の発明によれば、情報が側壁面のうちの光源よりも上方位置に投影されるようになり、かつ、光源からの直接光が光源よりも上方には照射されないので、側壁面の情報に対して光源からの直接光が確実に非照射となるようにすることができる。また、このように情報を側壁面の上部に投影するようにすれば、非照射となる領域が側壁面の下部にまで及ぶのを防ぐことができる。これにより、情報の視認性の確保に起因する照明効率の低下を抑えることができる。
【発明を実施するための最良の形態】
【００１１】
以下、本発明の実施形態を図面に基づいて説明する。
【００１２】
図１は、本発明の一実施形態による照明器具が設置された居室の説明図である。また、図２および図３は、照明器具の構成を説明するための部分断面図および平面図である。また、図４は、照明器具の制御系の構成を示したブロック図である。
【００１３】
本実施形態の照明器具１００は、図１に示すように、居室１１０の天井１１１に設置されて、居室１１０を照明するとともに、所定情報を居室１１０の側壁面１１２に投影して居室内の人（使用者）にその情報を提供する構成となっている。なお、図中では、側壁面１１２の上記所定情報が投影される領域を情報投影領域Ｒで示している。また、上記所定情報は、時刻情報や、テレビジョンおよびインターネット等による映像情報を含んでいる。
【００１４】
この照明器具１００は、図２および図３に示すように、天井１１１に取り付けられる器具本体１と、この器具本体１の下面で保持される円環状の蛍光灯２と、この蛍光灯２を下方から覆うように器具本体１に取り付けられるグローブ３とを備えている。また、照明器具１００は、図４に示すように、当該照明器具１００の制御を行う制御装置５（図４参照）を備えている。なお、蛍光灯２は、本発明の「光源」の一例であり、グローブ３は、本発明の「カバー部材」の一例である。
【００１５】
器具本体１は、天井１１１に固定する固定部１１と、この固定部１１を囲む環形状のシャーシ１２とを含んでいる。固定部１１およびシャーシ１２は、蛍光灯２の光を下方へ配光するための反射部材として機能するように、その下面側が例えば白色に塗装されている。
【００１６】
シャーシ１２の下面には、複数の板バネからなる保持具（図示せず）が設けられており、これらの保持具によって蛍光灯２が宙吊り状態で保持されている。また、シャーシ１２の上面には、側壁面１１２に所定情報を投影可能なＬＥＤブロック４が取り付けられている。なお、ＬＥＤブロック４は、本発明の「情報投影手段」の一例である。
【００１７】
このように、シャーシ１２を挟んで上下に蛍光灯２とＬＥＤブロック４とを配することによって、蛍光灯２の光とＬＥＤブロック４の後述のＬＥＤ素子４１の光とが互いに相手側へ漏れることがないようになっている。
【００１８】
グローブ３は、透光性材料からなる。このグローブ３の上端縁には、内向きに突出する引掛け部３ａが設けられている。この引掛け部３ａをシャーシ１２の周縁部１２ａに引っ掛けることで、グローブ３が器具本体１に取り付けられるようになっている。
【００１９】
ＬＥＤブロック４は、シャーシ１２上面であって固定部１１よりも側壁面１１２側の位置に配されている。このＬＥＤブロック４は、ＬＥＤ（発光ダイオード）素子４１と、プリント配線基板４２と、液晶板４３と、レンズ部４４と、取付け板４５とから構成されている。
【００２０】
ＬＥＤ素子４１は、その光軸が略水平となる姿勢でプリント配線基板４２に実装されている。従って、ＬＥＤブロック４は、所定情報を蛍光灯２よりも上方位置である側壁面１１２の上端付近に投影するようになっている。
【００２１】
プリント配線基板４２は、取付け板４５に固定されている。また、取付け板４５は、シャーシ１２に取り付けられており、前記プリント配線基板４２を固定するための保持部４５ａと、この保持部４５ａの下端から当該照明器具１００の外方に向けて延びる連結部４５ｂとを有している。
【００２２】
液晶板４３は、側壁面１１２に投影されるべき所定情報を表示する液晶表示部を有しており、ＬＥＤ素子４１よりも側壁面１１２側の位置に、ＬＥＤ素子４１からの光を遮るようにその光軸に垂直に設置されている。この液晶板４３の液晶表示部は、透光性が低く（あるいは全くなく）、ＬＥＤ素子４１から放射されて液晶板４３に当たった光のうち、液晶表示部に当たらなかった光が主に当該液晶板４３を通過するように構成されている。
【００２３】
レンズ部４４は、液晶板４３よりも側壁面１１２側の位置に設置されている。このレンズ部４４は、凸レンズであって、ＬＥＤ素子４１から放射されて液晶板４３を通過した光を拡大して、側壁面１１２に配光するために設けられている。
【００２４】
制御装置５は、図４に示すように、蛍光灯点灯部５１と、ＬＥＤ点灯部５２と、情報表示部５３とを備えている。蛍光灯点灯部５１は、蛍光灯２を点灯させる電力を生成するための蛍光灯点灯装置を制御する機能を有している。ＬＥＤ点灯部５２は、ＬＥＤ素子４１を点灯させる電力を生成するためのＬＥＤ点灯装置を制御する機能を有している。情報表示部５３は、液晶板４３にマイコンを使用して文字等を表示させるための情報表示装置を制御する機能を有している。
【００２５】
また、制御装置５は、外部から信号線を介して、またはワイヤレス信号として入力される制御信号を受信する図略の受信手段を備えている。そして、受信手段によって受信された制御信号に応じて、蛍光灯点灯部５１およびＬＥＤ点灯部５２によって各点灯装置を個別に制御し、蛍光灯２およびＬＥＤ素子４１を点灯・消灯および調光させる。また、情報表示部５３によって情報表示装置を制御することによって、液晶板４３に文字等の情報を表示・消去させる。
【００２６】
ここで、本実施形態では、シャーシ１２の周縁部１２ａには、図２および図３に示すように、当該周縁部１２ａから略真下に延びる立下り部１２ｂが設けられている。なお、立下り部１２ｂは、本発明の「遮光手段」の一例である。この立下り部１２ｂは、図２に示すように、その下端１２ｃが蛍光灯２より下側に位置するように設けられている。また、立下り部１２ｂは、図３に示すように、平面視で少なくともＬＥＤブロック４の照射範囲をカバー可能な領域に亘って設けられている。
【００２７】
このような構成の立下り部１２ｂによって、蛍光灯２から側壁面１１２側に放射された直接光のうち、蛍光灯２以上の高さに放射された光が遮蔽され、側壁面１１２の蛍光灯２よりも上方部分には照射されなくなる。これにより、側壁面１１２の情報投影領域Ｒに対して蛍光灯２からの直接光が確実に非照射となる。本実施形態の照明器具１００では、このように、蛍光灯２によって配光される範囲と、ＬＥＤブロック４によって配光される範囲とが適切に峻別されている。
【００２８】
本実施形態では、上記のように、側壁面１１２に投影された情報に、蛍光灯２からの直接光が照射されるのを立下り部１２ｂによって防ぐことができるので、蛍光灯２を点灯したままでも、使用者が側壁面１１２の情報をはっきりと視認することができる。これにより、使用者が情報を正確に取得することができる。
【００２９】
また、本実施形態では、上記のように、情報が側壁面１１２に表示されるので、例えば情報が天井１１１に表示される場合に比べて、使用者が斜め上を見上げる楽な姿勢で情報を取得することができる。
【００３０】
また、本実施形態では、上記のように、器具本体１に立下り部１２ｂを設けたので、蛍光灯２からの直接光を当該蛍光灯２に近い位置で遮光することができる。これにより、立下り部１２ｂが比較的小さくても蛍光灯２からの直接光を正確に遮光することができる。
【００３１】
また、本実施形態では、上記のように、シャーシ１２に立下り部１２ｂを設けることによって、蛍光灯２やグローブ３を保持するシャーシ１２を利用して蛍光灯２からの直接光を遮光することができるようになる。これにより、別途遮光部材を設ける場合に比べて、部品点数の増加を抑えることができる。
【００３２】
また、本実施形態では、上記のように、ＬＥＤブロック４を、情報を略真横に投影する姿勢でシャーシ１２に設ける一方で、立下り部１２ｂの下端１２ｃを、蛍光灯２よりも下方に位置させる構成とした。これにより、情報が側壁面１１２のうちの蛍光灯２よりも上方位置に投影されるようになり、かつ、蛍光灯２からの直接光が蛍光灯２よりも上方には照射されなくなる。その結果、側壁面１１２の情報に対して蛍光灯２からの直接光が確実に非照射となるようにすることができる。
【００３３】
また、本実施形態では、上記のように、情報を側壁面１１２の上端付近に投影するようにしたので、非照射となる領域が側壁面１１２の下部にまで及ぶのを防ぐことができる。これにより、情報の視認性の確保に起因する照明効率の低下を抑えることができる。
【００３４】
なお、上記実施形態では、ＬＥＤブロック４を固定部１１の側壁面１１２側に１個設け、立下り部１２ｂをＬＥＤブロック４の照射範囲をカバー可能な領域に亘って設ける例について示したが、図５に示すような構成であってもよい。すなわち、８個のＬＥＤブロック４を、各ＬＥＤ素子４１からの光が外方向に進むように、固定部１１の周囲の８箇所に等間隔（４５度間隔）で配置した照明器具２００であってもよい。このようにすれば、居室の四方の側壁面のいずれにも上方を投影することができるようになるので、使用者がどの方向を向いていても正確に情報を取得することができるようになる。そして、このような構成の照明器具２００においては、立下り部１２ｂをシャーシ１２の周縁部１２ａの全周に亘って設けるようにしてもよい。
【００３５】
また、図６に示すように、上記実施形態のＬＥＤブロック４（図２参照）でレンズ部４４を省略した構成のＬＥＤブロック３０４と、引掛け部３ａの上部にレンズ部３ｂを設けたグローブ３０３とを備えた照明器具３００であってもよい。この場合、図７に示すように、各レンズ部３ｂの厚さがそれぞれ異なるように構成し、かつ、グローブ３０３が水平面で回転可能なように器具本体１を引掛けシーリング式にしてもよい。このようにすれば、当該照明器具３００を居室に取り付けたときに、グローブ３０３の向きを調整して焦点を合わせることによって、四方の側壁面に情報を適切に投影することができるようになる。
【００３６】
また、図８に示すように、サーボモータ等の駆動部６とアーム部７とによって、ＬＥＤブロック３０４をＬＥＤ素子４１の光軸方向に移動可能に構成した照明器具４００であってもよい。この構成によれば、レンズ部３ｂを通過する光の焦点距離を簡単に合わすことができる。
【００３７】
また、上記実施形態では、シャーシ１２に立下り部１２ｂを一体に設けたが、これに限らず、シャーシ１２の周縁部１２ａに遮光部材を別途取り付けて、蛍光灯２からの直接光を遮光するようにしてもよい。
【００３８】
また、上記実施形態では、立下り部１２ｂの下端１２ｃが蛍光灯２よりも下方となるように構成した例を示した。しかし、立下り部１２ｂと蛍光灯２との位置関係は、蛍光灯２の直接光が情報投影領域Ｒに照射されないという条件下で、側壁面１１２における情報投影領域Ｒの形成位置に応じて適宜変更可能である。
【００３９】
なお、上記構成の照明器具１００を利用すれば、蛍光灯２のみを点灯させたときと、ＬＥＤ素子４１のみを点灯させたときとで、照明の視覚的効果を明確に異ならせる演出を実現可能である。また、蛍光灯２およびＬＥＤ素子４１を同時点灯させることで側壁面１１２を一様に明るく照明する演出も実現可能である。
【図面の簡単な説明】
【００４０】
【図１】本発明の一実施形態による照明器具が設置された居室の説明図である。
【図２】照明器具の構成を示した部分断面図である。
【図３】照明器具の平面図である。
【図４】照明器具の制御系の構成を示したブロック図である。
【図５】変形例１による照明器具の平面図である。
【図６】変形例２による照明器具の部分断面図である。
【図７】図６に示した照明器具の平面図である。
【図８】変形例３による照明器具の部分断面図である。
【符号の説明】
【００４１】
１  器具本体
２  蛍光灯（光源）
３、３０３  グローブ（カバー部材）
４、３０４  ＬＥＤブロック（情報投影手段）
１２  シャーシ
１２ａ  周縁部
１２ｂ  立下り部（遮光手段）
１２ｃ  下端
１００、２００、３００、４００  照明器具
１１０  居室
１１１  天井
１１２  側壁面
【図１】
2009199982.tif 000003
【図２】
2009199982.tif 000004
【図３】
2009199982.tif 000005
【図４】
2009199982.tif 000006
【図５】
2009199982.tif 000007
【図６】
2009199982.tif 000008
【図７】
2009199982.tif 000009
【図８】
2009199982.tif 000010